(57)【要約】【課題】ハンディ型ビデオカメラをスタジオアダプタに簡単な作業で短時間で組み込めるようにする。【解決手段】スタジオアダプタ用ビデオカメラ支持ユニットとして、ハンディ型ビデオカメラが載置される固定部材と、ハンディ型ビデオカメラを外部装置と接続するコネクタを備え、固定部材に対し直線的に移動変位可能な可動部材とを備えた構成とし、さらに、上記可動部材を、偏心カムと凹状ロック部とレバー部材とを同軸上に有し支点周りに回動可能な回動部を設けた第１の可動部材と、上記コネクタが取付けられ上記偏心カムの回動により上記第１の可動部材に対し直線的に移動変位し、移動変位した位置でハンディ型ビデオカメラに押圧力を与える第２の可動部材とを備えた構成とする。【選択図】図３
2010050543.tif 000002
【特許請求の範囲】
【請求項１】
スタジオアダプタと結合されるハンディ型ビデオカメラを支持するスタジオアダプタ用ビデオカメラ支持ユニットであって、
上記ハンディ型ビデオカメラが載置される固定部材と、
上記ハンディ型ビデオカメラを外部装置と接続するコネクタを備え、上記固定部材に対し直線的に移動変位可能な可動部材と、
上記可動部材の移動を案内する案内部材と、
を備え、
上記固定部材が、
ロック用突起を備え、
上記可動部材が、
上記案内部材と結合または係合された第１の可動部材と、
偏心カムと、上記ロック用突起の外周に係合する凹状ロック部と、レバー部材とを同軸上に有し、上記第１の可動部材に対し支点周りに回動可能に係合された回動部と、
上記コネクタが取付けられ、上記偏心カムの回動により上記第１の可動部材に対し直線的に移動変位し、移動変位した位置で上記ハンディ型ビデオカメラを拘束する第２の可動部材と、
を備え、
上記回動部は、
上記第１の可動部材が上記固定部材側に移動変位し上記凹状ロック部が上記ロック用突起と係合した状態において、上記レバー部材が外力により回動したとき、上記偏心カムが、上記第２の可動部材を、上記固定部材に載置された上記ハンディ型ビデオカメラ側に移動させ、上記コネクタを該ハンディ型ビデオカメラの接続部に接続させるとともに、上記凹状ロック部が、上記ロック用突起の周りに回動変位し、該ロック用突起に対し、上記第２の可動部材の、上記ハンディ型ビデオカメラから離間する方向への移動を阻止するように係合する構成である
ことを特徴とするスタジオアダプタ用ビデオカメラ支持ユニット。
【発明の詳細な説明】
【技術分野】
【０００１】
本発明は、スタジオアダプタと結合されるハンディ型ビデオカメラを支持するスタジオアダプタ用ビデオカメラ支持ユニットの構成に関する。
【背景技術】
【０００２】
図６〜図９は、従来から実用されているハンディ型ビデオカメラと、それを支持するビデオカメラ支持ユニットの説明図である。スタジオ内での使用のために、ハンディ型ビデオカメラ１１'はスタジオアダプタ１０'に取付けられた状態とされ、該ハンディ型ビデオカメラ１１'の前方には大型レンズ１２'が配され、後方にはファインダ１３'が配される（図７）。大型レンズ１２'やファインダ１３'はそれぞれ、ハンディ型ビデオカメラ１１'側に固定されるかまたはスタジオアダプタ１０'側に固定される。ハンディ型ビデオカメラ１１'は、スタジオアダプタ１０'の一部を構成しているビデオカメラ支持ユニット１０１'に取付けられた状態（図８）でスタジオアダプタ１０'に組み込まれている。
【０００３】
ビデオカメラ支持ユニット１０１'にハンディ型ビデオカメラ１１'が取付けられた状態においては、ビデオカメラ支持ユニット１０１'の固定部材１０１１'上に載置されたハンディ型ビデオカメラ１１'の後方側面（−Ｘ軸方向側面）の下方部分が、該ビデオカメラ支持ユニット１０１'の可動部材１０１２'の端面によって拘束されている（図８）。該可動部材１０１２'は、レバー部材１０１３ｃ'の支点周りの回動によって駆動され±Ｘ軸方向に移動変位するようになっており、Ｘ軸方向に移動変位したときに可動部材１０１２'を押し、該可動部材１０１２'の端面をハンディ型ビデオカメラ１１'の後方側面（−Ｘ軸方向側面）の下方部分に押し付けさせる。
【０００４】
ハンディ型ビデオカメラ１１'と外部装置との接続は、ハンディ型ビデオカメラ１１'の後方側面（Ｘ軸方向側面）の上方部分に設けたコネクタ１１２'と、スタジオアダプタ１０'の後方側面（−Ｘ軸方向側面）の上方部分に取付けたアーム１０３'の先端部に設けたコネクタ１０２'とによって行う。アーム１０３'が矢印Ｅの方向に移動変位することにより、コネクタ１０２'がコネクタ１１２'側に移動し、コネクタ１０２'がコネクタ１１２'と結合される（図９）。コネクタ１０２'には、外部装置に接続された導線が接続されている。図１０は、コネクタ１０２'がコネクタ１１２'と結合されているときの状態を示す。
【０００５】
また、本発明に関連した従来技術であって、特許文献に記載された技術としては、例えば、特開２００５−１４８３３０号公報（特許文献１）に記載されたものがある。特開２００５−１４８３３０号公報には、三脚１０で支持したカメラ支持部１５にハンディ型ビデオカメラ１１を載せて固定する構成や、ハンディカメラ本体３１ｂをビルドアップタイプサポータ３４ｂ支持し固定するとした構成が記載されている。
【０００６】
【特許文献１】特開２００５−１４８３３０号公報
【発明の開示】
【発明が解決しようとする課題】
【０００７】
上記図６〜図９を用いて説明した従来技術においては、ビデオカメラ支持ユニット１０１'によりスタジオアダプタ１０'内にハンディ型ビデオカメラ１１'が固定された後に、アーム１０３'の移動変位により、コネクタ１０２'がコネクタ１１２'に結合される。すなわち、ハンディ型ビデオカメラ１１'をビデオカメラ支持ユニット１０１'により固定することと、ハンディ型ビデオカメラ１１'を外部装置に接続することは、直列的な別個の作業として行われる。このため、コネクタ１０２'がコネクタ１１２'に結合されるようにハンディ型ビデオカメラ１１'の固定位置を調整する必要があるし、また、ハンディ型ビデオカメラ１１'による再生または記録が開始されるまでに長い時間が必要である。また、コネクタ１０２'を支持しかつ移動させるためのアーム１０３'も必要であり、スタジオアダプタ１０'が大型化し易くかつ構造も複雑化し易い。
【０００８】
本発明の課題点は、上記従来技術の状況に鑑み、ハンディ型ビデオカメラのスタジオアダプタ内への組込みを簡単な作業により短時間で行えるようにすることである。
【０００９】
本発明の目的は、かかる課題点を解決し、使い勝手の良いスタジオアダプタを提供することにある。
【課題を解決するための手段】
【００１０】
上記課題点を解決するために、本発明では、スタジオアダプタ用ビデオカメラ支持ユニットとして、ハンディ型ビデオカメラが載置される固定部材と、ハンディ型ビデオカメラを外部装置と接続するコネクタを備え、固定部材に対し直線的に移動変位可能な可動部材とを備えた構成とし、さらに、上記可動部材を、偏心カムと凹状ロック部とレバー部材とを同軸上に有し支点周りに回動可能な回動部を設けた第１の可動部材と、上記コネクタが取付けられ上記偏心カムの回動により上記第１の可動部材に対し直線的に移動変位し、移動変位した位置でハンディ型ビデオカメラに押圧力を与える第２の可動部材とを備えた構成とする。
【００１１】
上記回動部は、上記第１の可動部材が上記固定部材側に移動変位し凹状ロック部が上記固定部材上のロック用突起と係合した状態において、レバー部材が回動したとき、偏心カムが、上記第２の可動部材を、上記固定部材に載置された上記ハンディ型ビデオカメラ側に移動させ、上記コネクタを該ハンディ型ビデオカメラ上の接続部に接続させるとともに、凹状ロック部が、上記ロック用突起の周りに回動変位し、該ロック用突起に対して、上記第２の可動部材が、上記ハンディ型ビデオカメラから離間する方向へ移動することを阻止するように係合する。
【発明の効果】
【００１２】
本発明によれば、ハンディ型ビデオカメラをスタジオアダプタに対し、コネクタ接続を含め、簡単な作業により短時間で組み込むことができる。
【発明を実施するための最良の形態】
【００１３】
以下、本発明の実施例につき、図面を用いて説明する。
【００１４】
図１〜図６は、本発明の実施例の説明図である。図１は、本発明の実施例としてのビデオカメラ支持ユニットにハンディ型ビデオカメラが取付けられた状態を示す図、図２は、図１におけるハンディ型ビデオカメラのコネクタ接続部の構成を示す図、図３は、図１におけるビデオカメラ支持ユニットの外観を示す図、図４は、図３のビデオカメラ支持ユニットの内部構成を示す図、図５及び図６は、図３のビデオカメラ支持ユニットの動作の説明図である。本実施例の場合も、ハンディ型ビデオカメラは、スタジオアダプタに取付けられ、さらに、大型レンズやファインダが装着された状態で、スタジオでの使用（スタジオユース）等に供されるものとする。
【００１５】
図１において、１１は、ハンディ型ビデオカメラ、１０１は、ハンディ型ビデオカメラ１１を支持しスタジオアダプタの一部を構成するビデオカメラ支持ユニット、１０１１は、ビデオカメラ支持ユニット１０１内においてハンディ型ビデオカメラが載置される固定部材、１０１２は、ビデオカメラ支持ユニット１０１内において固定部材１０１１に対し±Ｘ軸方向に直線的に移動変位可能な可動部材、１０１４は、可動部材１０１２の移動を案内する案内部材、１０１２ａは、可動部材１０１２のうち、案内部材１０１４と係合された第１の可動部材、１０１２ｂ１、１０１２ｂ２は、第１の可動部材１０１２ａに対し±Ｘ軸方向に直線的に移動変位可能な第２の可動部材であって、１０１２ｂ１は、第１の可動部材１０１２ａに当接して設けられた第２の可動部材、１０１２ｂ２は、第２の可動部材１０１２ｂ１上に配された第２の可動部材、また、１０１２ｂ１ｎは、可動部材１０１２ｂ１のＸ軸方向端面に設けられた爪部、１０１５は、第２の可動部材１０１２ｂ２のＸ軸方向側面に固定され、ハンディ型ビデオカメラ１１を外部装置（図示なし）と接続するコネクタ、１０１３ｃは、第１の可動部材１０１２ａ上に設けられ、支点周りに回動可能な回動部材としてのレバー部材、１０１３ｃｐは、レバー部材１０１３ｃの回動支点である。第２の可動部材１０１２ｂ２は、第２の可動部材１０１２ｂ１上において、該第２の可動部材１０１２ｂ１に固定されている。レバー部材１０１３ｃが回動支点１０１３ｃｐ周りに回動することにより、該レバー部材１０１３ｃと同軸上に設けられた偏心カム（図示なし）が回動駆動され、第２の可動部材１０１２ｂ１が該偏心カムにより押されて第１の可動部材１０１２ａに対しＸ軸方向に直線的に移動変位する。案内部材１０１４は、固定部材１０１１側に固定された直線状の丸棒であり、第１の可動部材１０１２ａに設けられた丸孔とスライド可能な状態で係合されている。案内部材１０１４は、第１の可動部材１０１２ａ側に固定され、固定部材１０１１側に設けられた孔とスライド可能な状態で係合される構成であってもよい。また、コネクタ１０１５には外部装置と接続される導線が接続されている。
【００１６】
図１の構成において、ハンディ型ビデオカメラ１１が固定部材１０１１上に載置されると、第１の可動部材１０１２ａ及び第２の可動部材１０１２ｂ１、１０１２ｂ２は、ユーザによって第１の可動部材１０１２ａの−Ｘ軸方向の端面が押されるなどして、Ｘ軸方向の所定位置まで移動する。該所定位置でユーザによってレバー部材１０１３ｃに回動支点１０１３ｃｐ周りの力が加えられると、レバー部材１０１３ｃと同軸上に設けられた偏心カム（図示なし）が回動し、第２の可動部材１０１２ｂ１をＸ軸方向に移動させる。該第２の可動部材１０１２ｂ１の移動によって、該第２の可動部材１０１２ｂ１のＸ軸方向端面の爪部１０１２ｂ１ｎがハンディ型ビデオカメラ１１の−Ｘ軸方向側面の下方部分の爪部（図示なし）と係合する。該第２の可動部材１０１２ｂ１の移動変位によって、第２の可動部材１０１２ｂ２も該第２の可動部材１０１２ｂ１と一体的に移動変位し、該第２の可動部材１０１２ｂ２に固定されたコネクタ１０１５は、ハンディ型ビデオカメラ１１の−Ｘ軸方向側面に設けられたコネクタ接続部に結合（接続）される。該状態でハンディ型ビデオカメラ１１は、ビデオカメラ支持ユニット１０１に固定された状態となり、該ビデオカメラ支持ユニット１０１によって支持される。
【００１７】
以下、説明中で用いる図１の構成の構成要素には、図１の場合と同じ符号を付して用いる。
【００１８】
図２は、ハンディ型ビデオカメラ１１の外観斜視図であって、ビデオカメラ支持ユニット１０１側のコネクタ１０１５と接続されるコネクタ接続部の構成を示す図である。
【００１９】
図２において、１１１はカメラ本体部、１１２は、コネクタ接続部としてのコネクタ、１１３はコネクタカバー、１１８は、第２の可動部材１０１２ｂ１のＸ軸方向端面の爪部１０１２ｂ１ｎ（図１）と係合される爪部である。（ａ）は、コネクタカバー１１３が開き始めたときの状態を示し、（ｂ）は、コネクタカバー１１３が全開されたときの状態を示す。コネクタカバー１１３は吊り下げられた状態で回動支点において支持され、該回動支点の近傍にはねじりコイルばね等のばねが設けられ、コネクタ１０１５がコネクタ１１２に接続されないときは、該コネクタカバー１１３は、該ばねの弾性復元力によって、コネクタ１１２が覆われる位置に回動変位した状態とされる。コネクタ１０１５がコネクタ１１２に接続されるとき、該コネクタカバー１１３は、Ｘ軸方向に移動変位するコネクタ１０１５の先端部によって押され、開き始める。
【００２０】
以下、説明中で用いる図２の構成の構成要素には、図２の場合と同じ符号を付して用いる。
【００２１】
図３は、図１におけるビデオカメラ支持ユニット１０１の外観を示す図である。（ａ）は、可動部材１０１２が、まだＸ軸方向への移動変位を開始せずに、固定部材１０１１から離間した位置にあるときの状態を示し、（ｂ）は、可動部材１０１２が、Ｘ軸方向に移動変位し、かつ、第２の可動部材１０１２ｂ１、１０１２ｂ２が、第１の可動部材１０１２ａに対してＸ軸方向に移動変位した位置にあるときの状態を示す。
【００２２】
図３において、１０１１ａは、ハンディ型ビデオカメラ１１が載置される固定部材１０１１の平面部、１０１１ｎは、ハンディ型ビデオカメラ１１のＸ軸方向側面の下方部分に設けられた爪部（図示なし）と係合される固定部材１０１１の爪部、１０１２ｂｇは、第２の可動部材１０１２ｂ２のＸ軸方向端面に突出させて設けられた案内ピンである。該案内ピン１０１２ｂｇは、第２の可動部材１０１２ｂ２のＸ軸方向の移動を案内し、コネクタ１０１５がハンディ型ビデオカメラ１１上のコネクタ１１２（図２）に適正な状態で接続（結合）されるようにする。第２の可動部材１０１２ｂ１、１０１２ｂ２が図３（ｂ）の位置となるとき、ハンディ型ビデオカメラ１１は、固定部材１０１１と可動部材１０１２とにより、ハンディ型ビデオカメラ１１のＸ軸方向側面の下方部分においては、固定部材１０１１の爪部１０１１ｎと、ハンディ型ビデオカメラ１１のＸ軸方向側面の下方部分の爪部（図示なし）とが係合し、ハンディ型ビデオカメラ１１の−Ｘ軸方向側面の下方部分においては、第２の可動部材１０１２ｂ１のＸ軸方向端面の爪部１０１２ｂ１ｎと、ハンディ型ビデオカメラ１１の−Ｘ軸方向側面の下方部分の爪部１１８（図２）が係合し、ビデオカメラ支持ユニット１０１によって支持される。第２の可動部材１０１２ｂ１が偏心カム１０１３ａによってＸ軸方向に移動変位するとき、第２の可動部材１０１２ｂ２もＸ軸方向に移動変位し、該第２の可動部材１０１２ｂ２上のコネクタ１０１５は、ハンディ型ビデオカメラ１１上のコネクタ１１２（図２）に接続（結合）される。すなわち、爪部１０１２ｂ１ｎと爪部１１８（図２）とが係合される第２の可動部材１０１２ｂ１の移動変位によって、コネクタ１０１５とコネクタ１１２（図２）も接続（結合）され、該爪部間の係合とコネクタ間の接続がワンタッチ的に行われる。
【００２３】
以下、説明中で用いる図３の構成における構成要素には、図３の場合と同じ符号を付して用いる。
【００２４】
図４は、図３におけるビデオカメラ支持ユニット１０１の内部構成を示す図である。なお、同図４では、第２の可動部材としては、第２の可動部材１０１２ｂ１のみを示し、第２の可動部材１０１２ｂ２については図示していない。
【００２５】
図４において、１０１３ａは、第２の可動部材１０１２ｂ１を第１の可動部材１０１２ａに対し±Ｘ軸方向に移動させる略円形の外形を有する偏心カム、１０１３ｂは凹状ロック部、１０１３ｄは、レバー部材１０１３ｃによって駆動される軸、１０１６は、固定部材１０１１の−Ｘ軸方向に突出した平面に設けられた円柱状のロック用突起、１０１２ａｈは、第１の可動部材１０１２ａに設けられた貫通孔、１０１２ｂ１ｈは、第２の可動部材１０１２ｂ１に設けられた貫通孔、１０１３ｃｈは、レバー部材１０１３ｃに設けられた貫通孔である。貫通孔１０１２ａｈ中にはロック用突起１０１６が配され、貫通孔１０１２ａｈには、軸１０１３ｄが該貫通孔１０１２ａｈを貫通して配されている。貫通孔１０１３ｃｈには軸１０１３ｄの上端部が挿入されて固定される。第２の可動部材１０１２ｂ１は第１の可動部材１０１２ａの幅方向（±Ｙ軸方向）の端部で支持され±Ｘ軸方向にスライド可能な構成を有する。偏心カム１０１３ａ、凹状ロック部１０１３ｂ、軸１０１３ｄ及びレバー部材１０１３ｃは、第１の可動部材１０１２ａに対し支点周りに回動可能に係合された回動部を構成している。偏心カム１０１３ａ、凹状ロック部１０１３ｂ、軸１０１３ｄ、及びレバー部材１０１３ｃの軸１０１３ｄへの固定部は、同軸上に配され、回動中心軸ｃ−ｃ'の周りに回動可能な構成である。
【００２６】
図４の構成において、第１の可動部材１０１２ａがＸ軸方向に移動されると、該第１の可動部材１０１２ａに係合されている回動部もともにＸ軸方向に移動し、該回動部の凹状ロック部１０１３ｂは、ロック用突起１０１６の−Ｘ軸方向側から該ロック用突起１０１６の外周に係合する。該係合状態において、レバー部材１０１３ｃが外力により回動され、軸１０１３ｄが回動されると、偏心カム１０１３ａが、回動により、第２の可動部材１０１２ｂ１をＸ軸方向に押して移動させるとともに、凹状ロック部１０１３ｂが、ロック用突起１０１６の周りで回動変位する。凹状ロック部１０１３ｂは、該回動変位により、ロック用突起１０１６に対して、第２の可動部材１０１２ｂ１が−Ｘ軸方向に移動するのを阻止する状態で係合する。コネクタ１０１５が取付けられた第２の可動部材１０１２ｂ２は、第２の可動部材１０１２ｂ１に取付けられているため、該第２の可動部材１０１２ｂ１が移動するとき、該第２の可動部材１０１２ｂ１と一体状に移動する。
【００２７】
図５は、図３のビデオカメラ支持ユニット１０１の動作の説明図である。（ａ）は、可動部材１０１２が、まだＸ軸方向への移動変位を開始せずに、固定部材１０１１から離間した位置にあるときの状態を示し、（ｂ）は、可動部材１０１２が、Ｘ軸方向に移動変位し、かつ、第２の可動部材１０１２ｂ１、１０１２ｂ２が、第１の可動部材１０１２ａに対してＸ軸方向に移動変位し、回動部の凹状ロック部１０１３ｂがロック用突起１０１６と係合した位置にあるときの状態を示す。なお、本図５においても、第２の可動部材１０１２ｂ２は図示されない。
【００２８】
図５において、１０１７は、第２の可動部材１０１２ｂ１内に組み込まれた棒状のばねである。図５（ａ）の状態のときには、レバー部材１０１３ｃによる軸１０１３ｄの回動がないため、偏心カム１０１３ａは、回動支点１０１３ｃｐの中心（回動中心軸）から最も大きく偏心した部分（最大偏心部）が−Ｘ軸方向を向き、凹状ロック部１０１３ｂは、凹状部分の開口がＸ軸方向にあるようにされている。この状態で、ユーザにより、可動部材１０１２に対しＸ軸方向の外力Ｆ１が加えられると、可動部材１０１２は、第１の可動部材１０１２ａが案内部材１０１４により案内され、第２の可動部材１０１２ｂ１とともにＸ軸方向に移動変位する。該可動部材１０１２は、該外力Ｆ１により、第１の可動部材１０１２ａに取付けられた回動部の凹状ロック部１０１３ｂがロック用突起１０１６と係合する位置まで移動される。図５（ｂ）は、凹状ロック部１０１３ｂがロック用突起１０１６と係合した位置すなわち第１の可動部材１０１２ａのＸ軸方向への移動が停止された位置において、ユーザにより、レバー部材１０１３ｃに対し外力Ｆ２が加えられると、レバー部材１０１３ｃは回動支点１０１３ｃｐ周りに回動し、偏心カム１０１３ａを回動させる。偏心カム１０１３ａは回動しながらその外周面でばね１０１７を押す。ばね１０１７が押されることで、第２の可動部材１０１２ｂ１は、ばね１０１７とともにＸ軸方向に移動変位する。レバー部材１０１３ｃが、図５（ａ）の状態から１８０度の角度を回動された場合には、偏心カム１０１３ａは、最大偏心部がＸ軸方向を向いた状態となり、該最大偏心部の外周面がばね１０１７を押し、該ばね１０１７に最大の弾性変形を生じさせることになる。図５（ｂ）は、レバー部材１０１３ｃが、図５（ａ）の状態から１８０度未満の角度を回動された状態を示す。ハンディ型ビデオカメラ１１が固定部材１０１１上に載置されている場合であって、第２の可動部材１０１２ｂ１が図５（ｂ）の位置になったときには、ハンディ型ビデオカメラ１１は、ハンディ型ビデオカメラ１１のＸ軸方向側面の下方部分においては、固定部材１０１１の爪部１０１１ｎ（図３、図４）と、ハンディ型ビデオカメラ１１のＸ軸方向側面の下方部分の爪部とが係合し、ハンディ型ビデオカメラ１１の−Ｘ軸方向側面の下方部分においては、第２の可動部材１０１２ｂ１のＸ軸方向端面の爪部１０１２ｂ１ｎ（図３、図４）と、ハンディ型ビデオカメラ１１の−Ｘ軸方向側面の下方部分の爪部１１８（図２）とが係合した状態となって、ビデオカメラ支持ユニット１０１によって支持され、かつ、第２の可動部材１０１２ｂ２上のコネクタ１０１５（図３）が、ハンディ型ビデオカメラ１１上のコネクタ１１２（図２）に接続（結合）される。このとき、第２の可動部材１０１２ｂ１の爪部１０１２ｂ１ｎ（図３、図４）は、偏心カム１０１３ａの回動位置に対応したばね１０１７の弾性変形に基づく力（弾性復元力）でＸ軸方向に押された状態で、ハンディ型ビデオカメラ１１の爪部１１８（図２）と係合される。
【００２９】
図６は、図３のビデオカメラ支持ユニット１０１の動作を説明する線図である。
【００３０】
図６において、横軸は、可動部材１０１２（第１の可動部材１０１２ａ、第２の可動部材１０１２ｂ１、１０１２ｂ２）のＸ軸方向の移動位置ｘ、縦軸は、偏心カム１０１３ａの回動角θである。また、Ａは、第１の可動部材１０１２ａ及び第２の可動部材１０１２ｂ１、１０１２ｂ２のＸ軸方向への移動を示す線、Ｂは、第２の可動部材１０１２ｂ１、１０１２ｂ２のＸ軸方向への移動を示す線、Ｃは、偏心カム１０１３ａの回動を示す線、Ｐ０（ｘ＝ｘ０）は、可動部材１０１２がＸ軸方向への移動を開始する位置、Ｐ１（ｘ＝ｘ１）は、第１の可動部材１０１２ａがＸ軸方向への移動を終了し、偏心カム１０１３ａが回動を開始し、これによって第２の可動部材１０１２ｂ１、１０１２ｂ２がＸ軸方向への移動を開始する位置、Ｐ２（ｘ＝ｘ２）は、偏心カム１０１３ａが回動を終了し、これによって第２の可動部材１０１２ｂ１、１０１２ｂ２がＸ軸方向への移動を終了する位置、Ｐ３は、偏心カム１０１３ａが回動を終了する回動角位置である。Ｐ０は、図３（ａ）、図５（ａ）における可動部材１０１２の位置が該当し、Ｐ２は、図３（ｂ）、図５（ｂ）における第２の可動部材１０１２ｂ１、１０１２ｂ２の位置が該当する。例えば、Ａにおける移動量（ｘ１−ｘ０）を２０×１０−３ｍ〜３０×１０−３ｍ、Ｂにおける移動量（ｘ２−ｘ１）を５×１０−３ｍ〜１０×１０−３ｍ、位置Ｐ２における偏心カム１０１３ａの回動角を１２０度〜１６０度（図６では１５０度としている）とする。
【００３１】
上記実施例によれば、ビデオカメラ支持ユニット１０１の可動部材１０１２の移動動作によって、ハンディ型ビデオカメラ１１の該ビデオカメラ支持ユニット１０１への固定と、コネクタ１０１５、１１２間の接続とを同時にワンタッチ的に行うことができるため、容易にかつ短時間にハンディ型ビデオカメラ１１をスタジオアダプタに組み込むことができる。また、外部装置との接続をハンディ型ビデオカメラ１１の下方部分で行う構成のため、外部装置に接続される導線がハンディ型ビデオカメラ１１の操作部にかからないようにすることができる。この結果、スタジオアダプタの使い勝手性を向上させることができる。
【図面の簡単な説明】
【００３２】
【図１】本発明の実施例としてのビデオカメラ支持ユニットにハンディ型ビデオカメラが取付けられた状態を示す図である。
【図２】図１におけるハンディ型ビデオカメラのコネクタ接続部の構成を示す図である。
【図３】図１におけるビデオカメラ支持ユニットの外観を示す図である。
【図４】図３のビデオカメラ支持ユニットの内部構成を示す図である。
【図５】図３のビデオカメラ支持ユニットの動作の説明図である。
【図６】図３のビデオカメラ支持ユニットの動作を説明する線図である。
【図７】従来のハンディ型ビデオカメラとスタジオアダプタの組合わせ形態の一例を示す図である。
【図８】図７の形態においてビデオカメラ支持ユニットによるハンディ型ビデオカメラの支持状態を示す図である。
【図９】図７の形態においてコネクタの結合の仕方を示す図である。
【図１０】図７の形態においてコネクタが結合された状態を示す図である。
【符号の説明】
【００３３】
１０１…ビデオカメラ支持ユニット、
１０１１…固定部材、
１０１２…可動部材、
１０１４…案内部材、
１０１２ａ…第１の可動部材、
１０１２ｂ１、１０１２ｂ２…第２の可動部材、
１０１２ｂ１ｎ、１１８、１０１１ｎ…爪部、
１０１５、１１２…コネクタ、
１０１１ａ…平面部、
１０１２ｂｇ…案内ピン、
１０１３ａ…偏心カム、
１０１３ｂ…凹状ロック部、
１０１３ｃ…レバー部材、
１０１３ｃｐ…回動支点、
１０１３ｄ…軸、
１０１６…ロック用突起、
１０１２ａｈ、１０１２ｂ１ｈ、１０１３ｃｈ…貫通孔、
１０１７…ばね、
１１…ハンディ型ビデオカメラ、
１１１…カメラ本体部、
１１３…コネクタカバー。
【図１】
2010050543.tif 000003
【図２】
2010050543.tif 000004
【図３】
2010050543.tif 000005
【図４】
2010050543.tif 000006
【図５】
2010050543.tif 000007
【図６】
2010050543.tif 000008
【図７】
2010050543.tif 000009
【図８】
2010050543.tif 000010
【図９】
2010050543.tif 000011
【図１０】
2010050543.tif 000012